(57)【要約】【課題】背ボトムの傾斜角度を容易に認識することができる病院搬送用ストレッチャー等の寝台装置を提供する。【解決手段】病院搬送用ストレッチャー等の寝台装置は、寝床部の背ボトム５１がフレーム５０に対して回動して背上げを行う背上げ機構を備えた病院搬送用ストレッチャー等の寝台装置である。そして、フレーム５０に対して固定され、背ボトム５１の縁部により前記背ボトムの傾斜角度を読み取る位置に、背ボトム５１の傾斜角度が表示された柵本体２１が設けられている。【選択図】図４
2009118984.tif 000002
【特許請求の範囲】
【請求項１】
寝床部の背ボトムがフレームに対して回動して背上げを行う背上げ機構を備えた病院搬送用ストレッチャー等の寝台装置において、前記フレームに対して固定され、前記背ボトムの縁部により前記背ボトムの傾斜角度を読み取る位置に、前記背ボトムの傾斜角度が表示された柵が設けられていることを特徴とする病院搬送用ストレッチャー等の寝台装置。
【発明の詳細な説明】
【技術分野】
【０００１】
本発明は、病院等の医療施設及び介護施設等で使用する患者搬送用のストレッチャー又はベッド等に設けられる落下防止用の柵を利用して背ボトムの傾斜角度を認識することができる寝台装置に関する。
【背景技術】
【０００２】
病院及び介護施設等において使用されるストレッチャーの柵は、ストレッチャーの寝床部上に横たわる患者が、寝床部から落下することを防止するために、寝床部の側縁に、この寝床部の側縁から起立するように設置されている。
【０００３】
また、この柵は、ストレッチャーの寝床部の側縁に起立した状態では、患者がストレッチャーから車椅子その他の椅子に移乗する際に、その動作を妨げるため、柵を寝床部から取り外すか、又は柵をベッドの長手方向に折り畳むか（特許文献１）、又は寝床部の側縁に平行の方向を回転軸として柵を回転させ、柵を寝床面より下方に垂れ下がらせることにより、寝床部の側縁から退避させる必要がある。
【０００４】
特許文献１においては、柵を構成する横枠を複数の支柱の上端部で支持するようにし、横枠と支柱の上端部とは回動可能であり、全ての支柱が倒れることにより、横枠が水平状態のまま降下するようになっている。そして、柵を起立状態に保持する場合には、横枠に上下動可能に設けたストッパの下端部に弾性支持されたピン部材を、支柱の上端部に設けた受け部材の嵌合孔内に上方から挿入して、横枠のストッパを支柱の受け部材で拘束し、横枠と支柱とが相対的に回動しないようにこれらを係止して、支柱が倒れないようにしている。ストッパは、横枠に対して水平に移動可能に設けられたダブルストッパの下面に設けた突起部を、ストッパの上面に設けた突起部に整合させることにより、上方に移動しないように拘束されており、これにより、ストッパと受け部材との相互拘束状態が解除されないようになっている。また、作業者がダブルストッパを水平に移動させた場合には、ダブルストッパによるストッパの拘束（突起部同士の接触）が外れて、ストッパが上方に移動可能となり、従って、ストッパのピン部材が、受け部材の嵌合孔から離脱し、横枠が支柱に対して相対的に回動可能になる。これにより、支柱は倒れることができ、全ての支柱が倒れることにより、横枠が水平に下降し、柵が折り畳まれる。
【０００５】
しかしながら、この特許文献１に記載されたストレッチャーの柵は、複数個の支柱を倒すことにより、横枠を下降させて、支柱を折り畳むタイプのものであるため、折り畳んだ状態でも、ストレッチャーの側縁に若干の高さをもって残存し、患者がストレッチャーから移乗する際に、邪魔となる。
【０００６】
一方、柵をストレッチャーの側縁に平行の回転軸の回りに回転させて、移乗時に回転軸から垂れ下がるようにした場合は、患者がストレッチャーから車椅子等に移乗する際に、柵が邪魔になることはない。
【０００７】
図６及び図７は、回転するタイプの柵を示す図であり、図６が柵がストレッチャー側縁で起立して柵としての使用状態、図７が柵を回転させようとする動作状態を示す。ストレッチャーの寝床部１の側縁に、回転軸支持部３がその姿勢を水平にして固定配置されている。柵２の右端部には、回転軸４がその長手方向を水平にして柵２から突出するようにして設けられており、この回転軸４が回転軸支持部３の水平孔に挿入されて、柵２が水平軸の回りに回転可能に回転軸支持部３に支持されている。回転軸支持部３には、凹部６が形成され、柵２の右端部には突起５が設けられている。そして、柵２は、この回転軸支持部３の反対側の端部（左端部）が、同様の回転軸支持部により水平軸の回りに回転可能に支持されており、更に圧縮バネ（図示せず）により、柵２は右方に向けて付勢されている。
【０００８】
このため、図６に示すように、突起５が凹部６に嵌合している状態では、柵２は回動せず、起立状態を保持している。一方、柵２を回動させて退避させる場合は、図７に示すように、圧縮バネの付勢力に抗して、柵２をその他端部（左端部）側にスライド移動させ、突起５を凹部６から離脱させる。この状態で、柵２を手前に回動させて回転軸支持部３から下方に垂れ下がるようにすることにより、柵２が寝床部１より下方に移動し、患者の移乗が可能になる。
【０００９】
ところで、このストレッチャー及び介護ベッドにおいては、寝床部が、通常、回動可能の背上げボトム、及び固定された脚ボトムから構成され、背上げボトムが回動して背上げすることにより、寝床部上に横たわる患者がその上半身を起こすことができるようになっている。
【００１０】
この場合に、この背ボトムの背上げ角度がどの程度であるかは、寝床部上に横たわる患者の快適さ及び搬送時の安全にとって、重要な要素となる。従来、この背ボトムの傾斜角度（背上げ角度）を知るために、電装品により背ボトムの位置を検出し、検出結果に基づいて表示装置にその検出角度を表示させるか、又は、背上げボトムに柵を取付け、若しくは背上げボトムに柵が連動し、背上げボトムが回動すると、柵も回動する機構を設けることにより、柵に搭載された角度計により、角度を表示させるものがあった。
【００１１】
【特許文献１】特許第３０２９０２６号
【発明の開示】
【発明が解決しようとする課題】
【００１２】
しかしながら、上述の背上げ角度の検出装置及び表示装置を設け、背ボトムの傾斜角度を検出して表示する方法は、製造コストが高いという問題点がある。また、背ボトムに柵を取り付けたり、背上げボトムと柵とが連動するようにしても、構造自体が複雑になり、製造コストが上昇するという問題点がある。
【００１３】
本発明はかかる問題点に鑑みてなされたものであって、背ボトムの傾斜角度を容易に認識することができる病院搬送用ストレッチャー等の寝台装置を提供することを目的とする。
【課題を解決するための手段】
【００１４】
本発明に係る病院搬送用ストレッチャー等の寝台装置は、寝床部の背ボトムがフレームに対して回動して背上げを行う背上げ機構を備えた病院搬送用ストレッチャー等の寝台装置において、前記フレームに対して固定され、前記背ボトムの縁部により前記背ボトムの傾斜角度を読み取る位置に、前記背ボトムの傾斜角度が表示された柵が設けられていることを特徴とする。
【発明の効果】
【００１５】
本発明によれば、フレームに対して固定された柵に、背ボトムの傾斜角度を表示し、背ボトムが水平状態から回動して傾斜したときに、柵に設けた角度表示から、その背ボトムの傾斜角度、即ち、背上げ角度を読み取る。これにより、極めて簡便に背上げ角度を認識することができる。また、背ボトムが回動する領域に正面視で重なるように柵を設け、この柵に角度を表示するだけでよいので、製造コストが低いという利点がある。
【発明を実施するための最良の形態】
【００１６】
以下、本発明の実施形態について添付の図面を参照して具体的に説明する。図１乃至図３は本発明の実施形態に係る柵を備えたストレッチャーを示す斜視図である。ストレッチャー１０は、水平の寝床部１１が昇降装置１５により昇降可能に設置されており、また、寝床部１１の４隅部に配置された車輪１４により、任意の方向に移動することができるようになっている。このストレッチャー１０の寝床部１１の側縁には、柵２０が設置されている。この柵２０は、両端部に夫々長手方向に延びる回転軸２２，２３が設けられた柵本体２１と、ストレッチャー１０の寝床部１１の側縁の近傍に設置され、回転軸２２，２３を軸支して柵本体２１を回転可能に支持する回転支持部１２，１３とを有する。そして、柵本体２１の一方の端部の回転軸２２，回転支持部１２側に、第１係合部及び第２係合部からなるロック機構３０が設置されている。また、図４に示すように、柵本体２１の他方の端部の回転軸２３は、回転支持部１３に設けた寝床部長手方向に平行の水平孔内に挿入されており、回転軸２３が回転支持部１３内でその軸方向（長手方向）に移動することができるようになっており、これにより、柵本体２１は寝床部１１の長手方向に若干スライドすることができるようになっている。なお、後述するように一方の端部側の回転軸２２も回転支持部１２内の水平孔内に挿入され、回転支持部１２内で回転軸２２の長手方向に移動することができるようになっている。そして、他方の端部側の回転軸２３には、圧縮バネ１６が外嵌されており、この圧縮バネ１６により、柵本体２１が一方の端部側（回転支持部１２側）に付勢されるようになっている。
【００１７】
そして、回転支持部１２側には、ロック機構３０が設けられており、このロック機構３０により、柵本体２１は、図１に示す起立状態、図２に示す水平状態、図３に示す回転軸から垂れ下がった退避状態を保持することができる。この図１に示す起立状態は、病院、医療施設及び介護施設等で使用する患者搬送用のストレッチャーの患者落下防止用の側柵として機能する。また、図２に示す水平状態は、診察台及び搬送用ストレッチャー等において、点滴輸液及び処置等に使用する上肢台として機能する。更に、図３に示す退避状態は、寝床部上の患者が車椅子等に移乗する際に柵が邪魔にならないように退避させるモードである。このような３種の状態は、ロック機構３０により、その状態に固定される。ロック機構３０は柵本体２１に設けられた第１係合部３１と、回転支持部１２に設けられた第２係合部３２とを有する。この第１係合部３１と第２係合部３２とが、柵が垂直状態のときと、柵が水平状態のときに、相互に係合し、柵をこの垂直状態又は水平状態に保持する。
【００１８】
寝床部は、患者の背の部分がのる背ボトム５１と、腰及び脚の部分がのる脚ボトム５２とから構成され（図３参照）、これらの背ボトム５１及び脚ボトム５２はストレッチャーの水平なフレーム５０に設置されている。背ボトム５１は、図４に示すように、駆動装置５３により、脚ボトム側の端部を中心として回動するようになっている。脚ボトム５２はフレーム５０に固定されていて、水平状態を保持する。なお、このフレーム５０に回転支持部１２，１３が設置されている。
【００１９】
そして、図４に示すように、この背ボトム５１の回動領域と正面視で重なる位置における柵２０の柵本体２１に、角度表示の目盛り４０が刻印又は印刷等により表示されている。このため、この柵本体２１の目盛り４０が表示された部分を正面からみると、図４に示すように、背ボトム５１の表面を正面からみたときの線分が水平に対して傾斜する角度を、目盛り４０により認識することができる。
【００２０】
次に、上述の如く構成された本実施形態のストレッチャー等の寝台装置の動作について説明する。図５に示すように、ストレッチャーを正面から見たときに、柵本体２１の背ボトム５１の近傍に、目盛り４０が刻印又は印刷等により表示されている。このため、駆動装置５３より背ボトム５１が背上げされ、背ボトム５１の傾斜角度が大きくなったときには、図４に示すように、その背ボトム５１の表面をストレッチャー正面（背ボトム側面）から見たときの線分が、特定の目盛り４０と重なり、背ボトム５１の傾斜角度（背ボトムの背上げ角度）を目盛り４０から読み取ることができる。このようにして、極めて簡便に背ボトム５１の傾斜角度（背上げ角度）を認識することができる。
【００２１】
また、この目盛り４０を柵本体２１に刻印又は印刷等により表示するだけで、背ボトム５１の傾斜角度を知ることができるので、格別、電送品及び表示装置を設ける必要はなく、製造コストが低く抑えることができる。
【図面の簡単な説明】
【００２２】
【図１】本発明の実施形態に係る柵を備えたストレッチャーを示す斜視図であり、柵が起立した状態を示す斜視図である。
【図２】本発明の実施形態に係る柵を備えたストレッチャーを示す斜視図であり、柵が水平状態にある状態を示す斜視図である。
【図３】本発明の実施形態に係る柵を備えたストレッチャーを示す斜視図であり、柵が下方に退避した状態を示す斜視図である。
【図４】同じく本発明の実施形態を示す正面図であり、背ボトムの傾斜角度を認識する動作を示す正面図である。
【図５】柵が起立状態にあるときのストレッチャーを示す正面図である。
【図６】従来のロック機構（ロック状態）を示す斜視図である。
【図７】従来のロック機構（ロック解除状態）を示す斜視図である。
【符号の説明】
【００２３】
１    寝床部
２    柵
３    支持部
４    回転軸
５    突起
６    凹部
１０    ストレッチャー
１１    寝床部
１２、１３    回転支持部
１４    車輪
１５    昇降装置
１６    圧縮コイルバネ
２０    柵
２１    柵本体
２２、２３    回転軸
２４    取付部
３０    ロック機構
３１    第１係合部
３２    第２係合部
４０    目盛り
５０    フレーム
５１    背ボトム
５２    脚ボトム
５３    駆動装置
【図１】
2009118984.tif 000003
【図２】
2009118984.tif 000004
【図３】
2009118984.tif 000005
【図４】
2009118984.tif 000006
【図５】
2009118984.tif 000007
【図６】
2009118984.tif 000008
【図７】
2009118984.tif 000009